(57)【要約】【課題】  簡単な構造で安価な超音波漏洩検出装置を提供する。【解決手段】  超音波漏洩検出装置１は、携帯型のプローブ２に、正多角形の頂点位置に配置した指向性を有する複数の超音波マイクロホン７と、該複数の超音波マイクロホン７で検出した電気信号を処理する信号処理回路１４と、該信号処理回路１４で処理した信号を可視的にかつ／可聴的に出力する出力部１６，１９と、前記複数の超音波マイクロホン７の指向方向の映像を映して漏洩位置を記録するために前記複数の超音波マイクロホン７の重心位置に配置したカメラ８と、を配設したものである。出力部１６，１９の出力値が最大になったときに複数の超音波マイクロホン７の指向方向の映像をカメラ８で映すことにより、映像の重心位置を漏洩位置として特定して記録できる。【選択図】      図１
2011038935.tif 000002
【特許請求の範囲】
【請求項１】
携帯型のプローブに、正多角形の頂点位置に配置した指向性を有する複数の超音波マイクロホンと、該複数の超音波マイクロホンで検出した電気信号を処理する信号処理回路と、該信号処理回路で処理した信号を可視的にかつ／可聴的に出力する出力部と、前記複数の超音波マイクロホンの指向方向の映像を映して漏洩位置を記録するために前記複数の超音波マイクロホンの重心位置に配置したカメラと、を配設したことを特徴とする超音波漏洩検出装置。
【発明の詳細な説明】
【技術分野】
【０００１】
本発明は、プラントや工場などにおいて数多く設置されている流体配管系や密閉された容器体等の各種設備の漏洩位置を探知するときに用いる超音波漏洩検出装置に関し、特に漏洩位置を特定して記録できるものに関する。
【背景技術】
【０００２】
プラントや工場などの設備においては、最少の消費エネルギーで最大の生産量を得ると共に最高の生産品質を維持するために、漏洩の有無を定期的に検出することが非常に重要となる。設備に漏洩が生じると、漏洩個所から超音波が発生するので、この超音波を指向性を有する超音波マイクロホンを用いた超音波漏洩検出装置で検出することにより、漏洩位置を探知することができる。従来の超音波漏洩検出装置は、例えば特許文献１に開示されている。ここに開示された超音波漏洩検出装置は、携帯型のプローブに、正多角形の頂点位置に配置した指向性を有する複数の超音波マイクロホンと、該複数の超音波マイクロホンで検出した電気信号を処理する信号処理回路と、該信号処理回路で処理した信号を可視的にかつ／可聴的に出力する出力部と、前記複数の超音波マイクロホンの指向方向に光ビームを出射するために前記複数の超音波マイクロホンの重心位置に配置した光源と、前記複数の超音波マイクロホンの指向方向の映像を映して漏洩位置を記録するためのカメラと、を配設したものである。
【先行技術文献】
【特許文献】
【０００３】
【特許文献１】特許第３４４３８０７号
【発明の概要】
【発明が解決しようとする課題】
【０００４】
上記従来の超音波漏洩検出装置は、出力部の出力値が最大になったときに複数の超音波マイクロホンの指向方向の映像を光ビームのスポットと共にカメラで映すことにより、漏洩位置を特定して記録できるものである。しかしながら、漏洩位置を特定するために光ビームを出射する光源を必要とするために構造が複雑で高価となる問題点があった。
【０００５】
したがって本発明が解決しようとする課題は、簡単な構造で安価な超音波漏洩検出装置を提供することである。
【課題を解決するための手段】
【０００６】
上記の課題を解決するために、本発明の超音波漏洩検出装置は、携帯型のプローブに、正多角形の頂点位置に配置した指向性を有する複数の超音波マイクロホンと、該複数の超音波マイクロホンで検出した電気信号を処理する信号処理回路と、該信号処理回路で処理した信号を可視的にかつ／可聴的に出力する出力部と、前記複数の超音波マイクロホンの指向方向の映像を映して漏洩位置を記録するために前記複数の超音波マイクロホンの重心位置に配置したカメラと、を配設したことを特徴とするものである。
【発明の効果】
【０００７】
本発明によれば、複数の超音波マイクロホンの指向方向の映像を映して漏洩位置を記録するために複数の超音波マイクロホンの重心位置にカメラを配置したものであるので、出力部の出力値が最大になったときに複数の超音波マイクロホンの指向方向の映像をカメラで映すことにより、映像の重心位置を漏洩位置として特定して記録でき、簡単な構造で安価な超音波漏洩検出装置を提供することができるという効果を奏する。
【図面の簡単な説明】
【０００８】
【図１】本発明の実施の形態に係わる超音波漏洩検出装置の外観図である。
【図２】本発明の実施の形態に係わる超音波漏洩検出装置の電気的回路のブロック図である。
【図３】図１のＡ−Ａ端面図である。
【図４】図１のＢ−Ｂ端面図である。
【発明を実施するための形態】
【０００９】
以下、本発明の実施の形態について、図１乃至図４を参照して説明する。超音波漏洩検出装置１の携帯型のプローブ２はピストル形状で、縦断面が楕円形の上部３と、横断面がほぼ四角形の下部４と、から成る。下部４の外径は片手で把持できる程度の大きさである。上部３の左端部５に、図３に示すように、測定すべき設備から発せられる超音波を検出するための指向性を有する６個の超音波マイクロホン７と、超音波マイクロホン７の指向方向と同一方向の映像を映すためのデジタルカメラなどのカメラ８と、を配設する。６個の超音波マイクロホン７のそれぞれは正六角形の頂点に位置し、カメラ８は６個の超音波マイクロホン７の中心（正六角形の重心）に位置する。超音波マイクロホン７は６個に限らず少なくとも３個以上配置することができる。
【００１０】
プローブ２内に、信号処理回路１４を配設する。上部３の右端面１５に、図４に示すように、信号処理回路１４で処理した信号を可視的に表示するための液晶パネル構成等の表示部１６と、複数の押しボタンキー構成の操作部１７と、を配設する。下部４の左上端部に電源スイッチ１８を配設する。上部３に信号処理回路１４で処理した信号をヘッドホン１９等に可聴的に出力するための出力端子２０と、パソコン２１等と連結するための入出力端子２２と、を配設する。信号処理回路１４は増幅部２３とフィルタ部２４と検波部２５と整流部２６とオートボリュームコントロール部２７と記憶部２９及びＣＰＵ（中央演算処理部）３０とからなる。超音波マイクロホン７は、増幅部２３、フィルタ部２４、検波部２５、整流部２６、ＣＰＵ３０を通して表示部１６に連結する。また検波部２５及びＣＰＵ３０は、オートボリュームコントロール部２７、出力端子２０を通してヘッドホン１９に連結する。ＣＰＵ３０は、入出力端子２２を通してパソコン２１と連結する。またＣＰＵ３０にカメラ８及び操作部１７を連結する。
【００１１】
測定すべき設備の漏洩位置検出に際して、プローブ２の下部４を片手で把持し、例えば人差指で電源スイッチ１８を押してオン状態にする。そして、プローブ２の上部３の左端部５側を設備の方向に向け向きを徐々に変化させることにより、指向性を有する超音波マイクロホン７の指向方向を徐々に変化させる。測定すべき設備から流体が漏洩している場合には、超音波マイクロホン７の指向方向が漏洩位置の方向に近づいたときに、漏洩位置から放射される超音波が超音波マイクロホン７によって電気信号として検出され、信号処理回路１４に送られる。この超音波マイクロホン７によって検出された電気信号は、増幅部２３で増幅され、フィルタ部２４を通して検波部２５で検波され、整流部２６で整流され、ＣＰＵ３０で処理されて表示部１６に表示される。また検波部２４で検波された電気信号は、オートボリュームコントロール部２７で一定以上の信号が絞られて出力端子２０を通してヘッドホン１９に出力される。このオートボリュームコントロール部２６により、突然のエアーブローなどによる異常音から耳を守ることができる。超音波マイクロホン７の指向方向が漏洩位置と一致すると、表示部１６及びヘッドホン１９の出力値が最大となるので、このときの超音波マイクロホン７の指向方向をカメラ８で映すことにより映像の重心位置を漏洩位置として特定して記録できる。
【産業上の利用可能性】
【００１２】
本発明は、流体配管系や密閉された容器体等の各種設備の漏洩位置を探知するときに用いる超音波漏洩検出装置に利用することができる。
【符号の説明】
【００１３】
１  超音波漏洩検出装置
２  プローブ
７  超音波マイクロホン
８  カメラ
１４  信号処理回路
１６  表示部
１９  ヘッドホン
３０  ＣＰＵ
【図１】
2011038935.tif 000003
【図２】
2011038935.tif 000004
【図３】
2011038935.tif 000005
【図４】
2011038935.tif 000006